(57)【要約】【課題】重要度の高い投稿記事へのアクセスを容易化する、投稿記事を公開する投稿サーバの「クライアント装置」を提供する。【解決手段】車載装置１に未転送のプッシュ通知＃１、＃２、...、＃ｎの内容がスマートフォン２から車載装置１に転送されると（３０６）、車載装置１は、プッシュ通知＃１、＃２、...、＃ｎに対応する投稿記事＃１、＃２、...、＃ｎをスマートフォン２を介して、ＳＮＳサーバ４から取得する（３０７）。そして、各プッシュ通知＃１、＃２、...、＃ｎに対応する投稿記事＃１、＃２、...、＃ｎに含まれる位置情報が示す位置が基準位置に近いほど高くなるように優先順位を設定し、設定した優先順位の高い順に上から下に向かってプッシュ通知の内容を配置した、プッシュ通知リスト４００を表示装置１２に表示する（３０９）。【選択図】図３
2014006688.tif 000002
【特許請求の範囲】
【請求項１】
投稿サーバと複数のクライアント装置とを有する投稿システムであって、前記投稿サーバは、位置を示す位置情報を含む投稿記事の前記クライアント装置からの投稿の受け付けと、前記投稿記事の投稿の発生を知らせる通知の前記クライアント装置への送信と、投稿を受け付けた投稿記事の前記クライアント装置に対する公開とを行い、前記クライアント装置は、前記投稿サーバにアクセスし前記公開されている投稿記事を取得する情報システムに用いられる前記クライアント装置であって、
前記投稿サーバから受信した前記通知の各々について当該通知が投稿の発生を知らせる投稿記事に含まれる位置情報が示す位置を、当該通知に対応する位置として識別し、複数の前記通知を、当該通知に対応する位置が所定の基準前位置に近い順に順序づける順序設定手段と、
前記複数の通知を、前記順序設定手段が順序づけた順序に従った順序で当該クライアント装置のユーザに提示する通知提示手段とを有することを特徴とするクライアント装置。
【請求項２】
請求項１記載のクライアント装置であって、
前記基準位置は、当該クライアント装置の現在位置と、当該クライアント装置にユーザによって設定された目的地と、当該クライアント装置に予め設定されたユーザの自宅位置とのうちのいずれか一つであることを特徴とするクライアント装置。
【請求項３】
請求項１記載のクライアント装置であって、
前記順序設定手段は、前記投稿サーバから受信した前記通知の各々について、当該通知が投稿の発生を知らせる投稿記事を前記投稿サーバから取得し、取得した投稿記事に含まれる位置情報が示す位置を、当該通知に対応する位置として識別することを特徴とするクライアント装置。
【請求項４】
請求項１、２または３記載のクライアント装置であって、
前記通知提示手段は、前記複数の通知を、前記順序設定手段が、順序づけた順序に従った順序で上から下に向かって配置したリストを表示することにより、前記提示を行うことを特徴とするクライアント装置。
【請求項５】
請求項４記載のクライアント装置であって、
前記通知提示手段は、前記リストにおいて、前記対応する位置が前記基準位置に所定レベル以上近い通知を、他の通知よりも強調した形態で表示することを特徴とするクライアント装置。
【請求項６】
請求項１、２、３、４または５記載のクライアント装置であって、
前記通知提示手段が前記複数の通知の前記提示を行う際に、注意音を出力する注意音出力手段を有し、
当該注意音出力手段は、前記通知提示手段が提示する前記複数の通知に、前記通知に対応する位置が前記基準位置に所定レベル以上近い通知が含まれている場合と、含まれていない場合とで異なる音を、前記注意音として用いることを特徴とするクライアント装置。
【請求項７】
投稿サーバと複数のクライアント装置とを有する投稿システムであって、前記投稿サーバは、位置を示す位置情報を含む投稿記事の前記クライアント装置からの投稿の受け付けと、前記投稿記事の投稿の発生を知らせる通知の前記クライアント装置への送信と、投稿を受け付けた投稿記事の前記クライアント装置に対する公開とを行い、前記クライアント装置は、前記投稿サーバにアクセスし前記公開されている投稿記事を取得する情報システムに用いられる前記クライアント装置であって、
前記投稿サーバからの前記通知の受信を知らせる注意音を出力する注意音出力手段と、
前記投稿サーバから受信した前記通知の各々について当該通知が投稿の発生を知らせる投稿記事に含まれる位置情報が示す位置を、当該通知に対応する位置として識別する対応位置識別手段とを有し、
前記注意音出力手段は、前記投稿サーバから受信した前記通知に、前記通知に対応する位置が所定の基準位置に所定レベル以上近い通知が含まれている場合と、含まれていない場合とで異なる音を、前記注意音として用いることを特徴とするクライアント装置。
【請求項８】
請求項７記載のクライアント装置であって、
前記基準位置は、当該クライアント装置の現在位置と、当該クライアント装置にユーザによって設定された目的地と、当該クライアント装置に予め設定されたユーザの自宅位置とのうちのいずれか一つであることを特徴とするクライアント装置。
【請求項９】
コンピュータに読み取られ実行されるコンピュータプログラムであって、
当該コンピュータを請求項１、２、３、４、５、６、７または８記載のクライアント装置として機能させることを特徴とするコンピュータプログラム。
【発明の詳細な説明】
【技術分野】
【０００１】
本発明は、ＳＮＳ（social networking service）などの投稿された投稿記事を公開する投稿システムにおいて、ユーザの投稿記事の利用を支援する技術に関するものである。
【背景技術】
【０００２】
投稿システムにおいて投稿された投稿記事の利用を支援する技術としては、ＳＮＳ（social networking service）サーバに対する投稿の発生を、ＳＮＳサーバからＳＮＳクライアントにリアルタイムに通知する技術が知られている（たとえば、特許文献１）。
また、サーバにおいて、現在位置の情報を含む投稿記事の投稿を受け付け、投稿を受け付けた投稿記事を当該投稿記事に含まれる現在位置の情報と共に公開する技術も知られている（たとえば、特許文献２）。
【先行技術文献】
【特許文献】
【０００３】
【特許文献１】特表２０１１-５３７７８５号公報
【特許文献２】特開２００４-０８６６１８号公報
【発明の概要】
【発明が解決しようとする課題】
【０００４】
さて、ＳＮＳに対する投稿の発生を、ＳＮＳクライアントにリアルタイムに通知する技術によれば、複数の通知を受けた場合、ＳＮＳクライアントは、当該複数の通知の内容を、当該通知を受けた時刻順に当該ＳＮＳクライアントのユーザに提示することが一般的である。
【０００５】
しかしながら、各通知が投稿の発生を知らせる投稿記事のＳＮＳクライアントのユーザにとっての重要度は、必ずしも、当該投稿記事の投稿時刻の新旧に従わないため、複数の通知の内容を当該通知を受けた時刻順に提示すると、通知の数が多数である場合などには、ユーザの重要度の高い投稿記事へのアクセスが困難となる場合がある。
【０００６】
そこで、本発明は、投稿記事を公開する投稿サーバのクライアント装置において、ユーザにとっての重要度の高い投稿記事に当該ユーザが容易にアクセスできるように、投稿サーバから送信された投稿の発生の通知を当該ユーザに提示することを課題とする。
【課題を解決するための手段】
【０００７】
前記課題達成のために、本発明は、投稿サーバと複数のクライアント装置とを有する投稿システムであって、前記投稿サーバは、位置を示す位置情報を含む投稿記事の前記クライアント装置からの投稿の受け付けと、前記投稿記事の投稿の発生を知らせる通知の前記クライアント装置への送信と、投稿を受け付けた投稿記事の前記クライアント装置に対する公開とを行い、前記クライアント装置は、前記投稿サーバにアクセスし前記公開されている投稿記事を取得する情報システムに用いられる前記クライアント装置に、前記投稿サーバから受信した前記通知の各々について当該通知が投稿の発生を知らせる投稿記事に含まれる位置情報が示す位置を、当該通知に対応する位置として識別し、複数の前記通知を、当該通知に対応する位置が所定の基準位置に近い順に順序づける順序設定手段と、前記複数の通知を、前記順序設定手段が順序づけた順序に従った順序で当該クライアント装置のユーザに提示する通知提示手段とを設けたものである。
【０００８】
ここで、このようなクライアント装置において、前記基準位置は、当該クライアント装置の現在位置と、当該クライアント装置にユーザによって設定された目的地と、当該クライアント装置に予め設定されたユーザの自宅位置とのうちのいずれか一つとすることが好ましい。
【０００９】
ここで、このようなクライアント装置は、前記順序設定手段において、前記投稿サーバから受信した前記通知の各々について、当該通知が投稿の発生を知らせる投稿記事を前記投稿サーバから取得し、取得した投稿記事に含まれる位置情報が示す位置を、当該通知に対応する位置として識別するように構成してもよい。
【００１０】
また、このようなクライアント装置は、前記通知提示手段において、前記複数の通知の内容を、前記順序設定手段が、順序づけた順序に従った順序で上から下に向かって配置したリストを表示することにより、前記提示を行うようにしてもよい。また、この場合には、前記リストにおいて、前記対応する位置が前記基準位置に所定レベル以上近い通知を、他の通知よりも強調した形態で表示することも好ましい。
【００１１】
また、このようなクライアント装置に、さらに、前記通知提示手段が前記複数の通知の前記提示を行う際に、注意音を出力する注意音出力手段を設け、当該注意音出力手段において、前記通知提示手段が提示する前記複数の通知に、前記通知に対応する位置が前記基準位置に所定レベル以上近い通知が含まれている場合と、含まれていない場合とで異なる音を、前記注意音として用いるようにしてもよい。
【００１２】
このようなクライアント装置によれば、投稿サーバから受信した複数の通知が、当該通知が投稿の発生を知らせる投稿記事に含まれる位置情報が示す位置が、所定の基準位置に近いものより順番に表示されることとなる。したがって、基準位置として、その時点においてユーザにとって興味ある位置（たとえば、現在位置や目的地や自宅位置）とすることにより、ユーザにとって興味ある位置に関わる投稿記事、すなわち、ユーザにとって重要な投稿記事が、より前に順序づけられた形態でユーザに提示される。よって、ユーザは、ユーザにとって重要な投稿記事の投稿の発生を、より容易に認識できるようになり、この結果、重要度の高い投稿記事へのアクセスが容易化されることとなる。
【００１３】
また、前記課題達成のために本発明は、投稿サーバと複数のクライアント装置とを有する投稿システムであって、前記投稿サーバは、位置を示す位置情報を含む投稿記事の前記クライアント装置からの投稿の受け付けと、前記投稿記事の投稿の発生を知らせる通知の前記クライアント装置への送信と、投稿を受け付けた投稿記事の前記クライアント装置に対する公開とを行い、前記クライアント装置は、前記投稿サーバにアクセスし前記公開されている投稿記事を取得する情報システムに用いられる前記クライアント装置に、前記投稿サーバからの前記通知の受信を知らせる注意音を出力する注意音出力手段と、前記投稿サーバから受信した前記通知の各々について当該通知が投稿の発生を知らせる投稿記事に含まれる位置情報が示す位置を、当該通知に対応する位置として識別する対応位置識別手段とを設け、前記注意音出力手段において、前記投稿サーバから受信した前記通知に、前記通知に対応する位置が所定の基準位置に所定レベル以上近い通知が含まれている場合と、含まれていない場合とで異なる音を、前記注意音として用いるようにしたものである。
【００１４】
ここで、このようなクライアント装置において、前記基準位置は、当該クライアント装置の現在位置と、当該クライアント装置にユーザによって設定された目的地と、当該クライアント装置に予め設定されたユーザの自宅位置とのうちのいずれか一つとすることが好ましい。
【００１５】
このようなクライアント装置によれば、投稿サーバから受信した通知が、当該通知が投稿の発生を知らせる投稿記事に含まれる位置情報が示す位置が、所定の基準位置に所定レベル以上近いものである場合には、他の場合と異なる音による注意音が出力される。したがって、基準位置を、その時点においてユーザにとって興味ある位置（たとえば、現在位置や目的地や自宅位置）とすることにより、ユーザは、当該ユーザにとって興味ある位置に関わる投稿記事の投稿の発生を、注意音より容易に認識できるようになり、この結果、重要度の高い投稿記事へのアクセスが容易化されることとなる。
【発明の効果】
【００１６】
以上のように、本発明によれば、投稿記事を公開する投稿サーバのクライアント装置において、ユーザにとっての重要度の高い投稿記事に当該ユーザが容易にアクセスできるように、投稿サーバから送信された投稿の発生の通知を当該ユーザに提示することができる。
【図面の簡単な説明】
【００１７】
【図１】本発明の実施形態に係る車載装置の構成を示すブロック図である。
【図２】本発明の実施形態に係るプッシュ通知提示処理を示すフローチャートである。
【図３】本発明の実施形態に係るプッシュ通知提示処理の処理例を示すシーケンス図である。
【図４】本発明の実施形態に係る車載装置の表示例を示す図である。
【発明を実施するための形態】
【００１８】
以下、本発明の実施形態について、車載装置への適用を例にとり説明する。
図１に、本実施形態に係る投稿システムの構成を示す。
図示するように投稿システムは、自動車に搭載され車載装置１は、車載装置１のユーザによって携帯されるスマートフォン２、スマートフォン２が移動通信網やインターネットなどのＷＡＮ３を介してアクセスすることができるSocial Networking Serviceサーバ（ＳＮＳサーバ）４とを含む。
【００１９】
また、車載装置１は、入力装置１１、表示装置１２、スピーカなどを備えた各種音声を出力する音声出力装置１３、ＧＰＳ受信機やＴＶチューナやＤＶＤプレイヤや音声入出力装置などの周辺装置１４、記憶装置１５、スマートフォン２と接続するためのデバイスインタフェース１６、車載装置１のＯＳであるところのＨ-オペレーティングシステム１７、Ｈ-オペレーティングシステム１７によって管理されＨ-オペレーティングシステム１７上で稼働するアプリケーションであるＨ-ＡＰを備えている。
【００２０】
ここで、車載装置１は、Ｈ-ＡＰとして、車載装置１をカーナビゲーションとして機能させるナビゲーションアプリケーション１８１、ＳＮＳコントロールアプリケーション１８２、その他のミュージックプレイヤアプリケーション等のアプリケーション１８３を備えている。
【００２１】
また、ナビゲーションアプリケーション１８１は、記憶装置１５に記録されている地図データを用いて、ＧＰＳ受信機や車両状態センサを利用した、自車の現在位置の算出や、ユーザ操作に応じた目的地の設定や、設定した目的地までのルートの探索や、現在位置周辺の地図上に現在位置を表すマークや目的地までのルートを表したナビゲーション画像の表示装置１２への表示などの処理を行う。
【００２２】
次に、スマートフォン２は、操作部２１、ディスプレイ２２、マイクやスピーカなどを備えた音声入出力部２３、車載装置１と接続するためのホストインタフェース２４、記憶部２５、ＧＰＳ受信機などの周辺デバイス２６、移動電話網にアクセスするための移動通信装置２７、スマートフォン２のＯＳであるところのＳＰ-オペレーティングシステム２８、ＳＰ-オペレーティングシステム２８によって管理されＳＰ-オペレーティングシステム２８上で稼働するアプリケーションである複数のＳＰ-ＡＰを備えている。
【００２３】
ここで、スマートフォン２は、ＳＰ-ＡＰとして、移動通信装置２７や音声入出力部２３や操作部２１を用いた移動電話機としてスマートフォン２を機能させる移動電話アプリケーション２９１、ＳＮＳサーバ４に通信装置を介してアクセスし、ＳＮＳサーバ４が提供するＳＮＳ（Social Networking Service）のクライアントであるＳＮＳクライアントとしてスマートフォン２を機能させるＳＮＳクライアントアプリケーション２９２、電子メールアプリケーションなどの、その他のアプリケーション２９３を備えている。
【００２４】
ここで、スマートフォン２のホストインタフェース２４と車載装置１のデバイスインタフェース１６は、Bluetooth（登録商標）や、WIFI、USBなどにより接続し、相互通信を行うものである。
また、上述した車載装置１のＳＮＳコントロールアプリケーション１８２は、スマートフォン２との相互通信を利用しつつ、スマートフォン２のＳＮＳクライアントアプリケーション２９２と連携動作し、ＳＮＳクライアントアプリケーション２９２のＵＩを車載装置１の入力装置１１と表示装置１２を用いて提供する処理などを行う。
【００２５】
次に、ＳＮＳサーバ４は、投稿受付部４１、投稿記事サーバ４２、プッシュ通知部４３、投稿記事ＤＢ４４、アカウント管理ＤＢ４５を備えている。
そして、ＳＮＳサーバ４のアカウント管理ＤＢ４５には、ＳＮＳの登録ユーザであるアカウント毎に、当該アカウントのアカウント名やパスワードなどのアカウント管理情報や、当該アカウントがアクセス可能な投稿記事の条件（たとえば、投稿者）などが登録されている。
【００２６】
次に、ＳＮＳサーバ４の投稿受付部４１は、ＳＮＳのアカウントからＳＮＳクライアントを用いてＳＮＳサーバ４に投稿された投稿記事を受け付け、投稿記事データとして投稿記事ＤＢ４４に格納する。ここで、ＳＮＳクライアントのユーザは、ＳＮＳクライアントを用いて、ＳＮＳサーバ４に投稿する投稿記事に現在位置や、ユーザの指定施設などの座標を表す位置情報を含めることができる。なお、この投稿記事には、チェックインなどと呼ばれる、スポット（指定施設）の指定を伴う投稿記事なども含まれる。
【００２７】
次に、ＳＮＳサーバ４の投稿受付部４１は、投稿受付部４１が投稿記事の投稿を受け付けると、アカウント管理ＤＢ４５を参照し、当該投稿記事にアクセス可能なアカウントのＳＮＳクライアントに、投稿記事の投稿の発生を知らせるプッシュ通知を送信する。ここで、ＳＮＳクライアントとして機能するスマートフォン２において、ＳＮＳサーバ４から送信されたプッシュ通知は、ＳＰ-オペレーティングシステム２８、もしくは、ＳＮＳクライアントアプリケーション２９２に実装されたプッシュ通知受信機能部により受信される。そして、スマートフォン２のプッシュ通知受信機能部は、スマートフォン２が車載装置１に接続されていない場合には、受信したプッシュ通知の内容を即座に表示部に表示し、スマートフォン２が車載装置１に接続されている場合には、車載装置１からスマートフォン２に発行されたプッシュ通知転送要求に応えて、それまでに受信した、車載装置１に未転送のプッシュ通知の内容を当該プッシュ通知の受信時刻と共に車載装置１に転送する。
【００２８】
次に、ＳＮＳサーバ４の投稿記事サーバ４２は、ＳＮＳクライアントからの要求に応えて、当該ＳＮＳクライアントのユーザであるアカウントがアクセス可能な投稿記事を投稿記事ＤＢ４４より読み出して、所定の形式でＳＮＳクライアントに送信する。
次に、車載装置１のＳＮＳコントロールアプリケーション１８２が行うプッシュ通知提示処理について説明する。
図２に、このプッシュ通知提示処理の手順を示す。
図示するように、この処理では、まず、スマートフォン２にプッシュ通知転送要求を発行し（ステップ２０２）、スマートフォン２より、スマートフォン２がそれまでに受信したプッシュ通知の内の車載装置１に未転送のプッシュ通知の内容と当該プッシュ通知の受信時刻とを取得する。
そして、スマートフォン２よりプッシュ通知の内容が一つでも取得されたかどうかを調べ（ステップ２０４）、一つも取得できなかった場合には、所定のタイムアウト時間（たとえば、４秒）を持つタイマを設定し（ステップ２１８）、タイマのタイムアウトを待って（ステップ２２０）、ステップ２０２からの処理に戻る。
【００２９】
一方、スマートフォン２よりプッシュ通知の内容が一つ以上取得できた場合には（ステップ２０４）、スマートフォン２のＳＮＳクライアントアプリケーション２９２を制御して、ＳＮＳサーバ４から投稿記事群を取得する（ステップ２０６）。ここで、この投稿記事群の取得は、取得する投稿記事群に、ステップ２０２で取得した各プッシュ通知の内容が投稿の発生を知らせる投稿記事の全てが含まれるように行う。すなわち、たとえば、未閲覧の投稿記事の全てを含む投稿記事群を取得するようにする。
【００３０】
そして、ステップ２０２で取得した各プッシュ通知と、当該プッシュ通知の内容が投稿の発生を知らせる投稿記事と対応づけ、投稿記事に含まれる位置情報が示す位置が、所定の基準位置に近いものほど優先順位が高くなるように、各プッシュ通知に優先順位を設定する（ステップ２０８）。
【００３１】
ここで、プッシュ通知と、当該プッシュ通知の内容が投稿の発生を知らせる投稿記事と対応づけは、プッシュ通知の内容に当該プッシュ通知の内容が投稿の発生を知らせる投稿記事の識別子が含まれる場合には、当該識別子によって行う。
また、当該識別子が、プッシュ通知の内容に当該プッシュ通知の内容に含まれず、当該プッシュ通知の内容に当該内容が投稿の発生を知らせる投稿記事の投稿者が含まれる場合には、当該投稿者が内容に含まれるプッシュ通知のうち、受信時刻が過去に向かってｎ番目のプッシュ通知を、当該投稿者の過去に向かってｎ番目の投稿時刻の投稿記事に対応づけることにより行うことができる。
【００３２】
また、当該識別子も投稿者も、プッシュ通知の内容に含まれない場合には、当受信時刻が過去に向かってｎ番目のプッシュ通知を、過去に向かってｎ番目の投稿時刻の投稿記事に対応づけることにより行うようにしてもよいし、各プッシュ通知を当該プッシュ通知の受信時刻に過去方向に最も近い投稿時刻の投稿記事に対応づけることにより行うようにしてもよい。
【００３３】
また、基準位置としては、たとえば、ナビゲーションアプリケーション１８１が算出している現在位置、ナビゲーションアプリケーション１８１に設定されている目的地、予め車載装置１に設定されている自宅位置などを用いることができる。
なお、位置情報を含まない投稿記事に対応するプッシュ通知は、位置情報を含む投稿記事に対応するプッシュ通知の内容よりも優先順位を低く設定する。また、位置情報を含まない投稿記事に対応するプッシュ通知同士の優先順位は、対応するプッシュ通知の受信時刻が最近のものが、より優先順位が高くなるように設定する。また、基準位置までの距離が等しい位置情報を含む複数の投稿記事に対応するプッシュ通知同士の優先順位は、対応するプッシュ通知の受信時刻が最近のものが、より優先順位が高くなるように設定する。
【００３４】
次に、このようにして、プッシュ通知の優先順位を設定したならば、プッシュ通知に対応する投稿記事の内に、当該投稿記事に含まれる位置情報が示す位置と基準位置との距離が所定の距離（たとえば、５００ｍ）以内のものが含まれるかどうかを判定する（ステップ２１０）。ただし、この判定は、実際は、最も優先順位の高いプッシュ通知に対応する投稿記事に含まれる位置情報が示す位置と基準位置との距離が所定の距離以内であるかどうかを判定することにより行うことができる。
【００３５】
そして、プッシュ通知に対応する投稿記事に、当該投稿記事に含まれる位置情報が示す位置と基準位置との距離が所定の距離以内のものが含まれていなければ音声出力装置１３から通常の着信通知音声（たとえば、「ポン」という音声）を出力して（ステップ２１２）ステップ２１６に進み、含まれていれば通常よりもユーザの注意を惹くように強調した着信通知音声（たとえば、「ピピピピピ」という音声）を出力して（ステップ２１４）ステップ２１６に進む。
【００３６】
そして、ステップ２１６に進んだならば、ステップ２０２で取得したプッシュ通知の内容を、ステップ２０８で設定したプッシュ通知の優先順位の高い順に上から下に向かって配置した、プッシュ通知の内容のリストであるプッシュ通知リストを表示装置１２に表示する。
そして、上述のように所定のタイムアウト時間を持つタイマを設定し（ステップ２１８）、タイマのタイムアウトを待って（ステップ２２０）、ステップ２０２からの処理に戻る。
以上、ＳＮＳコントロールアプリケーション１８２が行うプッシュ通知提示処理について説明した。
なお、ＳＮＳコントロールアプリケーション１８２は、プッシュ通知リストを表示装置１２に表示したならば、ユーザからの入力装置１１を介した指示に従って、ステップ２０６で取得した投稿記事群を表示装置１２に表示したり、プッシュ通知リスト上でユーザからいずれかのプッシュ通知の内容の選択を入力装置１１を介して受け付けて、選択を受け付けたプッシュ通知の内容に対応する投稿記事を表示装置１２に表示する処理なども行う。
【００３７】
以下、以上のようなＳＮＳコントロールアプリケーション１８２が行うプッシュ通知提示処理の処理例について説明する。
いま、図３に示すように、プッシュ通知提示処理のステップ２１６でタイマをスタート（３０１）した時点から、タイムアウト（３０２）が発生するまでの所定期間Ｔの間に、ＳＮＳサーバ４に、投稿記事＃１、＃２、...、＃ｎのｎ回の投稿（３０３）が発生した場合、各投稿直後に、各投稿の発生を通知するプッシュ通知＃１、＃２、...、＃ｎ（３０４）がｎ回、ＳＮＳサーバ４からスマートフォン２に対して行われる。ここで、プッシュ通知＃ｉは、投稿記事＃ｉの投稿の発生を知らせるプッシュ通知であり、プッシュ通知＃ｉと投稿記事＃ｉとは１対１に対応するものである。
【００３８】
一方、車載装置１において、タイムアウト（３０２）が発生すると、車載装置１によってプッシュ通知転送要求がスマートフォン２に発行され（３０５）、車載装置１に未転送のプッシュ通知＃１、＃２、...、＃ｎの内容がスマートフォン２から車載装置１に転送される（３０６）。
【００３９】
プッシュ通知＃１、＃２、...、＃ｎの内容の転送を受けた車載装置１は、プッシュ通知＃１、＃２、...、＃ｎに対応する投稿記事＃１、＃２、...、＃ｎをスマートフォン２を介して、ＳＮＳサーバ４から取得する（３０７）。
そして、各プッシュ通知＃１、＃２、...、＃ｎに、対応する投稿記事＃１、＃２、...、＃ｎに含まれる位置情報が示す位置が基準位置に近いほど高くなるように優先順位を設定する。そして、着信通知音声を出力すると共に（３０８）、図４ａに示すように、設定した優先順位の高い順に上から下に向かって配置した、プッシュ通知の内容のリストであるプッシュ通知リストを表示装置１２に表示する（３０９）。ここで、着信通知音声３０８は、各プッシュ通知＃１、＃２、...、＃ｎに、対応する投稿記事＃１、＃２、...、＃ｎに含まれる位置情報のいずれかが、基準位置に対して所定距離内の位置を表すものである場合と、そうでない場合とで異なり、基準位置に対して所定距離内の位置を表すものである場合により注意を惹く音声が出力される。
【００４０】
ここで、図４ａは、ナビゲーションアプリケーション１８１が表示装置１２に表示している上述のナビゲーション画像４１０上に、プッシュ通知リスト４００を重畳表示した例を示している。図示するように、このプッシュ通知リスト４００には、優先順位がｋ番目からｋ+ｎ（図ではｎ=３）番目までのプッシュ通知の内容を、優先順位の順に上から下に並べて表示する。また、リスト４００の表示開始時の初期状態では、ｋ=１に設定されており、したがって、優先順位が、１番目から３番目までのプッシュ通知の内容が、優先順位の順に上から下に並べて表示される。そして、ユーザのスクロール操作に応じて、ｋの値をインクリメント/デクリメントすることにより、他のプッシュ通知の内容も、ユーザが確認できるようになっている。
【００４１】
なお、このようなプッシュ通知リスト４００の表示においては、図４ｂに示すように、基準位置に対して所定距離内の位置を表す位置情報を含む投稿記事に対応するプッシュ通知の内容の表示を強調するようにしてもよい。図４ｂの場合は、プッシュ通知リスト４００中の上から１番目と２番目のプッシュ通知の内容が投稿を知らせる投稿記事が基準位置から所定距離内の位置を表す位置情報を含む投稿記事ものである場合を示しており、背景の輝度を高くすることにより、１番目と２番目のプッシュ通知の内容の表示が強調されている。
【００４２】
さて、図３に戻り、車載装置１は、このようにプッシュ通知の内容のリストを表示装置１２に表示した後、ユーザからの入力装置１１を介した投稿記事の表示の指示が発生したならば（３１０）、指示に従って投稿記事を表示装置１２に表示する（３１１）。
以上、本発明の実施形態について説明した。
ところで、以上の実施形態におけるプッシュ通知提示処理のステップ２０８では、プッシュ通知と当該プッシュ通知の内容が投稿の発生を知らせる投稿記事と対応づけ、投稿記事に含まれる位置情報が示す位置が、所定の基準位置に近いものほど優先順位が高くなるように、各プッシュ通知に優先順位を設定したが、プッシュ通知の内容自体に対応する投稿記事に含まれる位置情報も含まれている場合には、ステップ２０８において、プッシュ通知の内容自体に含まれる位置情報が、所定の基準位置に近いものほど優先順位が高くなるように、各プッシュ通知に優先順位を設定するようにしてもよい。また、この場合には、ステップ２０６の投稿記事群の取得は行わないようにしてよい。
【００４３】
また、以上のプッシュ通知提示処理では、タイマを用いて一定時間間隔毎にステップ２０２-２１６の処理を行って、プッシュ通知の提示（着信通知音声の出力とプッシュ通知リストの表示）を行うようにしたが、これは、ユーザからのプッシュ通知リスト表示指示が発生したときに、ステップ２０２-２１６の処理を行って、プッシュ通知の提示を行うようにしてもよい。
または、スマートフォン２においてプッシュ通知が受信される度に、ステップ２０２-２１６の処理を行って、プッシュ通知の提示（着信通知音声の出力と受信したプッシュ通知の内容の表示）を行うようにしてもよい。なお、この場合には、たとえば、スマートフォン２においてプッシュ通知が受信された時点で、スマートフォン２から車載装置１にプッシュ通知の受信を知らせ、当該知らせに基づいて車載装置１において、スマートフォン２におけるプッシュ通知の受信を検知するようにする。
【００４４】
また、以上の実施形態は、スマートフォン２と車載装置１の機能を単一の装置に統合し、当該単一装置において実施するようにすることもできる。
以上のように本実施形態によれば、ＳＮＳクライアントがＳＮＳサーバ４から受信した複数のプッシュ通知の内容が、当該プッシュ通知が投稿の発生を知らせる投稿記事に含まれる位置情報が示す位置が、所定の基準位置に近いものより順番に表示されることとなる。したがって、基準位置を、その時点においてユーザにとって興味ある位置（たとえば、現在位置や目的地や自宅位置）とすることにより、ユーザにとって興味ある位置に関わる投稿記事、すなわち、ユーザにとって重要な投稿記事が、より前に順序づけられた形態でユーザに提示される。よって、ユーザは、ユーザにとって重要な投稿記事の投稿の発生を、より容易に認識できるようになり、この結果、重要度の高い投稿記事へのアクセスが容易化されることとなる。
【００４５】
また、ＳＮＳサーバ４から受信したプッシュ通知に、当該プッシュ通知が投稿の発生を知らせる投稿記事に含まれる位置情報が示す位置が、所定の基準位置に所定レベル以上近いもので場合には、他の場合と異なる音による注意音が出力される。したがって、基準位置を、その時点においてユーザにとって興味ある位置（たとえば、現在位置や目的地や自宅位置）とすることにより、ユーザは、当該ユーザにとって興味ある位置に関わる投稿記事の投稿の発生を、注意音より容易に認識できるようになり、この結果、重要度の高い投稿記事へのアクセスが容易化されることとなる。
【符号の説明】
【００４６】
１…車載装置、２…スマートフォン、３…ＷＡＮ、４…ＳＮＳサーバ、１１…入力装置、１２…表示装置、１３…音声出力装置、１４…周辺装置、１５…記憶装置、１６…デバイスインタフェース、１７…Ｈ-オペレーティングシステム、２１…操作部、２２…ディスプレイ、２３…音声入出力部、２４…ホストインタフェース、２５…記憶部、２６…周辺デバイス、２７…移動通信装置、２８…ＳＰ-オペレーティングシステム、４１…投稿受付部、４２…投稿記事サーバ、４３…プッシュ通知部、４４…投稿記事ＤＢ、４５…アカウント管理ＤＢ、１８１…ナビゲーションアプリケーション、１８２…ＳＮＳコントロールアプリケーション、２９１…移動電話アプリケーション、２９２…ＳＮＳクライアントアプリケーション。
【図１】
2014006688.tif 000003
【図２】
2014006688.tif 000004
【図３】
2014006688.tif 000005
【図４】
2014006688.tif 000006